(57)【要約】　　　（修正有）【課題】蒸気発生装置に対して蒸気発生指令が行われると、沸騰するまでの待ち時間を表示手段によって表示するようにした蒸気発生待ち時間表示装置を提供する。【解決手段】タンク内の湯量によって単位時間当たりの湯温上昇率を測定しておき、蒸気発生指令が行われた時点における蒸気発生装置のタンク内湯温を検出し、現在のタンク内湯温が前記湯温上昇率から沸騰するまでの時間を演算し、該演算した時間を表示手段１３ｂにおいて表示するようにした。【選択図】　　　　図６
2004121663.tif 000002
【特許請求の範囲】
【請求項１】
タンク内の湯量によって単位時間当たりの湯温上昇率を測定しておき、蒸気発生指令が行われた時点における蒸気発生装置のタンク内湯温を検出し、現在のタンク内湯温が前記湯温上昇率から沸騰するまでの時間を演算し、該演算した時間を表示手段において表示するようにしたことを特徴とする蒸気発生装置における蒸気発生待ち時間表示装置。
【請求項２】
前記蒸気発生装置に対する蒸気発生指令が、肌診断を行うためのセンサーによって得られた被施術者の肌診断結果から蒸気発生装置の施術時間や施術温度を自動的に設定するエステ機器と有線あるいは無線で接続されており、蒸気発生装置に対する蒸気発生指令は前記エステ機器より送出されるデータであることを特徴とする請求項１記載の蒸気発生装置における蒸気発生待ち時間表示装置。
【請求項３】
前記エステ機器は、前記蒸気発生装置から送信されるタンク内の温度や湯量のデータを記憶し、前記肌診断結果が得られると前記湯温および湯量から沸騰するまでの時間を処理回路において演算すると共に、前記エステ機器に設けられている表示手段において演算結果である待ち時間を表示するようにしたことを特徴とする請求項２記載の蒸気発生装置における蒸気発生待ち時間表示装置。
【発明の詳細な説明】
【０００１】
【発明の属する技術分野】
本発明は、蒸気発生装置の電源を投入した時、タンク内に水を追加した時、あるいは肌診断を行う制御装置からの施術時間や施術温度データが前記蒸気発生装置に電送された時に、該蒸気発生装置から蒸気が発生するまでの時間を前記制御装置側の液晶ディスプレーに表示するようにした蒸気発生装置における蒸気発生待ち時間表示装置に関する。
【０００２】
【従来の技術】
従来におけるこの種の蒸気発生装置としては、例えば、実開昭５７−７４０４１号公報に開示されたものがある。この出願の構造は、給水管から供給された水がタンク内においてヒーターによって加熱され、該加熱された蒸気は一旦蒸気室内に滞留され、他の蒸気室から蒸気導入管等を介して外部に排出され被施術者の顔に噴霧する構造のものである。
【０００３】
【特許文献】実開昭５７−７４０４１号公報
【０００４】
【発明が解決しようとする課題】
ところで、蒸気発生装置にあっては、電源スイッチを投入してから蒸気が発生するまでの時間は、タンク内に収容されているヒーターに通電させて保温状態にしてある場合には大凡の見当はつくものの、保温状態にないような場合にはどの程度の時間が掛かるか全く判らず施術まで施術者や被施術者がいらいらして待つといった問題があった。
【０００５】
本発明は前記した問題点を解決せんとするもので、その目的とするところは、蒸気発生装置に対して蒸気発生指令が行われると、沸騰するまでの待ち時間を表示手段によって表示するようにしたので、施術者にとっても、また、被施術者にとっても便利な蒸気発生装置における蒸気発生待ち時間表示装置を提供せんとするにある。
【０００６】
【課題を解決するための手段】
本発明の蒸気発生装置における蒸気発生待ち時間表示装置は前記した目的を達成せんとするもので、その請求項１の手段は、タンク内の湯量によって単位時間当たりの湯温上昇率を測定しておき、蒸気発生指令が行われた時点における蒸気発生装置のタンク内湯温を検出し、現在のタンク内湯温が前記湯温上昇率からして沸騰するまでの時間を演算し、該演算した時間を表示手段において表示するようにしたことを特徴とする。
【０００７】
請求項２の手段は、前記請求項１の手段における蒸気発生装置に対する蒸気発生指令が、肌診断を行うためのセンサーによって得られた被施術者の肌診断結果から蒸気発生装置の施術時間や施術温度を自動的に設定するエステ機器と有線あるいは無線で接続されており、蒸気発生装置に対する蒸気発生指令は前記エステ機器より送出されるデータであることを特徴とする。
【０００８】
請求項３の手段は、前記請求項２におけるエステ機器は、前記蒸気発生装置から送信されるタンク内の温度や湯量のデータを記憶し、前記肌診断結果が得られると前記湯温および湯量から沸騰するまでの時間を処理回路において演算すると共に、前記エステ機器に設けられている表示手段において演算結果である待ち時間を表示するようにしたことを特徴とする。
【０００９】
【発明の実施の形態】
以下、本発明に係るエステ装置の一実施の形態を図面と共に説明する。
図１において１は制御装置を示し、キャスター１１ａ付きの台部１１より起立した支柱１２のケース１２ａ内に図４に示す制御回路１ａ、および通信ユニット１ｂが収納されている。そして、前記制御回路１ａには前記ケース１２ａより起立した状態で液晶パネル等のディスプレー１３が取付けられている。なお、ディスプレー１３の下部には後述する蒸気発生装置２を含むエステ機器１５の温度や施術時間を設定するための操作キー１３ａが配置されている。
【００１０】
また、ケース１２ａの前面側に取付けられたホルダー１４には、ローションを顔に噴霧してトリートメントでほてった肌をクールダウンするためのスプレイ、空気の負圧を利用して皮膚の表面に付いた余分な皮脂や汚れを除くためのバキューム、ホット・クールを繰り返すことによって血行を良くしてトリートメント効果を高めるためのペルチェ等のエステ機器１５が垂下保持されている。
【００１１】
さらに、前記した制御回路１ａは肌センサー１６が接続されており、かつ、制御回路１ａは該肌センサー１６よりの出力から被施術者の顔における水分量、油量、弾性等のデータを得ることが可能なように構成されている。また、制御回路１ａには、例えば、肌データの水分、油分、弾性の諸条件を勘案してエステ機器１５（後述する蒸気発生装置を含む）を使用する際の最適な操作温度や時間データを予めテーブルに記憶しておき、実際に肌診断器によって得られたデータと前記テーブルに記憶されているデータとの比較演算を行って、エステ機器の操作温度や時間を自動的に設定することが可能なようになっている。
【００１２】
２はエステ機器１５の１つである蒸気発生装置にして、キャスター２１ａを有する台板２１から直立した柱板２２に対して蒸気噴出部２３ａを有する蒸気発生本体２３の背板２４が着脱自在に取付けられている。なお、蒸気発生本体２３は公知のものと同じようにタンク２３ｂを有し、水タンク２３ｂ内に装備されたヒーターに通電して加熱することにより蒸気を発生するものである。
【００１３】
そして、蒸気発生装置２内には図４に示すように、制御回路２ａおよび通信ユニット２ｂが内蔵されており、該制御回路２ａにはタンク２３ｂ内の水の温度および水位を計測するセンサー２ｃおよびタンク２３ｂ内の水を加熱するためのヒーター２ｄが接続されている。
【００１４】
３は脚体３１に取付けられた座部３２に対して背凭れ３３および前垂れ３４が起伏自在に形成された施術台にして、図示されていないが座部３２の下面より突出した支持杆に対して図２に示した蒸気発生装置２が着脱自在に取付け可能なように形成されている。
【００１５】
次に、前記した構成に基づいてエステ施術を行う方法について説明する。なお、説明では図３に示す蒸気発生装置２を施術台３に設置した場合について説明するが、図２に示す移動可能な支柱１２に取付けられた蒸気発生装置２を施術台３の側面に移動した場合であっても良い。
【００１６】
先ず、エステ施術を行う場合には、制御装置１をキャスター１１ａを利用して施術台３に寝ている被施術者の頭部に移動して、該制御装置１の電源を投入すると、ディスプレー１３に表示される手順に基づいて肌センサー１６を被施術者の顔の額、頬、顎等に当てて皮膚の水分、油分、弾性等を計測する。
【００１７】
これらの計測した肌データや前記エステ機器１５を操作するための操作温度や時間データはディスプレー１３上に表示されると共に制御装置１の制御回路１ａに取り込まれ、氏名、住所等の必要顧客情報データに追加情報として記憶され、次回の来店時に測定したデータと前記制御装置１に記憶されているデータとを比較してディスプレー１３上に表示可能なように構成されている。
【００１８】
また、前記取り込まれた各種の肌データは、予め制御装置１内に記憶されているデータとの比較演算が行われ、前記肌データに基づく最適な状態で前記エステ装置を駆動するための温度や時間等のデータとして蒸気発生装置２を含むエステ機器１４に出力可能なように構成されている。
【００１９】
今、前記得られた肌データを見た施術者が蒸気発生装置２よりの蒸気を被施術者の顔に蒸気を当てて肌に潤いを与える場合について説明すると、制御装置１の制御回路１ａより、あるいは、被施術者によるディスプレー１３に配置されている操作キー１３ａによって設定した温度や蒸気発生時間のデータは通信ユニット１ｂを介して有線、無線あるいは光によって蒸気発生装置２の通信ユニット２ｂ電送され制御回路２ａに記憶される。
【００２０】
一方、蒸気発生装置２は制御装置１よりのデータ受信と同時にヒーター２ｄへの通電を開始するが、制御回路２ａはタンク２３ｂの水の温度および水位を温度センサー・水位センサー２ｃよりの信号によって常時監視しているので、前記制御装置１より電送されたデータによる蒸気発生装置２の駆動開始は、該記憶されているデータの温度時間に達した時点において行われる。
【００２１】
そして、施術台３の側面に設置された蒸気発生装置２は前記制御装置１よりの温度データに基づいて動作を開始し、施術台３に寝ている被施術者の顔面に対して蒸気を当てて潤いを与え、前記時間データの時間に達すると蒸気発生を停止され蒸気による施術は終了する。
【００２２】
なお、他のエステ機器による施術は、制御装置１を施術台１の近傍に移動して行うが、施術時間等は制御装置１内の制御回路１ａに記憶されているデータに基づいて施術者が行うことになる。また、図２に示したスタンド型の蒸気発生装置２の場合には、該蒸気発生装置２を施術台１の近傍に移動して行う。
【００２３】
また、制御装置１によって複数台の蒸気発生装置２の駆動を同時に行う場合には、各蒸気発生装置２にアドレスを設定し、該アドレスに基づいて制御装置１より施術データを通信ユニット１ｂを介して蒸気発生装置２の通信ユニット２ｂに電送することによって、前記したと同様な動作によって１つの制御装置１によって多数の蒸気発生装置２も制御することが可能である。
【００２４】
また、本発明における制御装置１において、前記したように肌診断した結果をディスプレー１３上に表示する場合について説明したが、さらに、前記肌診断の結果に基づいて各種の施術における時間や温度を設定することにより、施術の手順をディスプレー１３上に表示すると共に１つの施術が終了するとブザー等で報知して次の施術に移行するように施術者に知らせることも可能である。
【００２５】
以下、肌センサー１６によって肌診断を行った結果に基づいて蒸気発生装置２を自動的に温度や時間を設定して動作させるための手段について図６以降で説明する。なお、前記した図１と同一符号は同一部分を示し説明は省略する。
図６はシステムブロック図にして、ディスプレー３には前記した実施例と同様に操作スイッチ１３ａと液晶パネル１３ｂとが取付けられ、また、ディスプレー１３内には肌センサー１６に接続された肌診断制御回路１３ｃ、該肌診断制御回路１３ｃよりの信号から肌の水分量、油分量および肌弾性を演算する処理回路１３ｄが接続されている。
【００２６】
また、蒸気発生本体２３は蒸気温度や時間等を表示する液晶表示器２３ｂと、施術時間を手動によって調整するためのスイッチ２３ｃと、電源のオン・オフを行うための電源スイッチ２３ｄとからなる制御ボックスおよびタンク２３ｅ（図７参照）内の水を加熱するための２つのヒーター２３ｆと、タンク２３ｅ内の水量の上限と下限を計測するフロートスイッチ２３ｇと、タンク２３ｅ内の湯の温度を検出するためのサーミスタ２５ｈと、タンク２３ｅ内の湯が無くなりタンクが異常に上昇した時に電源をオフするバイメタルサーモ２３ｉおよび前記通信回線に接続され、該通信回線を介して指令されるヒーター等を制御するスチーマー制御回路２３ｊとから構成されている。
【００２７】
前記処理回路１３ｄは熟練した施術者の経験から得られた各施術温度や施術時間等のデータをメモリに記憶させておき、前記した肌診断制御回路１３ｃによって得られた肌の水分量、油分量、肌弾性から、前記メモリに記憶されているデータとの比較を行って最適であると判断される施術温度および施術時間を選択し液晶パネル２３ｂに表示すると共に、通信回線を介して蒸気発生本体２３の通信回線を介してスチーマー制御回路２３ｊに送信するものである。なお、ディスプレー１３からのデータを蒸気発生本体２３に送信する手段としては、有線あるいは光通信等の無線によって行うことができることは当然である。
【００２８】
そして、蒸気発生本体２３は前記スチーマー制御回路２３ｊに入力された施術温度および施術時間のデータに基づいて動作が開始されるものである。すなわち、タンク２３ｅ内の温度が上昇して蒸気が発生した時点から前記設定された時間まで蒸気を発生させるようにヒーター２３ｃを制御するものである。
【００２９】
なお、前記した実施の形態のように、処理回路１３ｄにおいて肌診断結果のデータと予め設定されているデータとを比較して最適な条件となる施術時間を施術温度のデータとして蒸気発生本体２３に送信するものについて説明したが、必ずしもこのようなデータの送信を行う必要はなく、例えば、エステテックサロンにおいて一般的な施術順序と施術時間をディスプレー１１上に表示し、施術者が自分の経験から施術順序を変更したり施術時間を変更し、あるいは、施術内容を削除して施術を行うようにしてもよい。
【００３０】
ところで、前記したように肌診断の結果による施術時間や施術温度のデータが蒸気発生本体２３に送信されてから、該蒸気発生本体２３が実際に蒸気を発生するまでの時間は、タンク２３ｅ内の湯温によって決定されるため、施術者は何分後に蒸気が発生して施術が開始できるかの判断ができず、ディスプレー１３の液晶パネル１３ｂで知ることができれば非常に便利である。
【００３１】
そこで、本発明にあっては、前記データが送信された後に蒸気が発生するまでの時間を前記通信を介して液晶パネルに表示することを可能とした。以下、その詳細を図８のフローチャートと共に説明する。なお、サーミスタ２３ｈによって検出した湯の温度は、例えば、３０秒毎にディスプレー３１ｂ内の処理回路１３ｄに通信回線を介して記憶されているものとする。
【００３２】
先ず、蒸気発生本体２３に施術時間と施術温度の信号が入力されると、サーミスタ２３ｈよりの信号から現在のタンク２３ｅ内の湯の温度が何度であるかを検出して、その時の温度をｔとして処理回路１３ｄ内に記憶する（ステップＳ１）。そして、近い時間内（前記３０秒前）に検出した湯温データが有るか無いかの判断を行い（ステップＳ２）、無かったと判断すると現在予熱中か否かの判断を行い（ステップＳ３）、ヒーター２３ｆによる予熱中でないと判断すると沸騰点である１００℃から現在の湯温ｔを差し引き、かつ、タンク２３ｅ内の湯量が一杯（本実施の形態における満杯状態は１５００ｃｃであったが、タンク容量は自由である）の場合には実験的に１分間に８℃上昇することが判っているので、前記差し引いた値を８で割った値、すなわち、沸騰するまでの時間Ｔ（ステップＳ４）を液晶パネル１３ｂに表示する。
【００３３】
前記ステップＳ３において予熱中（本発明においては予熱完了温度を９０℃に設定したが、該予熱完了温度は９０℃に限定されるものではない）であると判断されると、９０℃から現在の湯温ｔを差し引き、かつ、前記した理由による８℃で割った値、すなわち、予熱が完了するまでの時間Ｔ（ステップＳ５）を液晶パネル１３ｂに表示する。
【００３４】
前記したステップＳ２において３０秒以内の湯の温度ｔ１　が検出され記憶されていた場合には、前記現在の湯温ｔから前記温度ｔ１　を引いた温度Δｔを求め記憶する（ステップＳ６）。次いで、前記現在の温度ｔが８５℃以下であるか否かを判断し（ステップＳ７）、８５℃以上であるとヒーター２３ｆに通電が行われ予熱中であるか否かを判断し（ステップＳ８）、予熱中であると判断すると予熱完了までの時間が１分以内なので待ち時間の表示は液晶パネル１３ｂにおいて行わない（ステップＳ９）。また、前記したステップＳ８において前記ヒーター２３ｆへの通電の結果９０℃以上になっている場合には（ステップＳ１０）、ステップＳ９に進み液晶パネル１３ｂにおいて表示は行わない。
【００３５】
前記したステップＳ１０において９０℃以下または、前記ステップＳ７において８５℃以下と判断され、かつ、予熱中でないと判断されると（ステップＳ１１）、前記温度Δｔがタンク２３ｅ内の湯量が一杯の時の１分間における温度上昇８℃か、湯量が半分の１０００ｃｃ（実施の形態においては１５００ｃｃと１０００ｃｃの間においてヒーターへの通電が行われるように設定されている）時における１分間の温度上昇率が１０℃の半分（すなわち、温度計測は３０秒毎であるので）の５℃以上であるか否かの判断を行い（ステップＳ１２）、温度Δｔが５より大きいと判断すると、すなわち、タンク２３ｅ内の湯量が少ない１０００ｃｃの時の温度上昇率であると判断されると、１００℃より現在温度ｔを差し引くと共に前記１０℃で割って得た時間を液晶パネル１３ｂで表示する（ステップＳ１４）。
【００３６】
また、前記ステップＳ１２の判断において、温度Δｔが５よりも小さいと判断されると、すなわち、タンク２３ｅ内の湯量が満杯の時の温度上昇率であると判断されると、１００℃より現在温度ｔを差し引くと共に前記８℃で割って得た時間を液晶パネル１３ｂで表示する（ステップＳ１３）。
【００３７】
前記したステップＳ１１において予熱中であると判断された場合には、前記温度Δｔが前記５℃より上であるか下であるかの判断を行い（ステップＳ１５）、温度Δｔが５以上であると判断されると、予熱温度である９０℃より現在温度ｔを差し引くと共に前記１０℃で割って得た時間を液晶パネル１３ｂで表示する（ステップＳ１７）。
【００３８】
また、前記ステップＳ１５の判断において、温度Δｔが５よりも小さいと判断されると、９０℃より現在温度ｔを差し引くと共に前記８℃で割って得た時間を液晶パネル１３ｂで表示する（ステップＳ１６）。
【００３９】
なお、前記した実施の形態にあっては、施術結果によって施術時間や施術温度が蒸気発生本体２３に送信された状態から待ち時間を表示する場合について説明したが、電源スイッチ２３ｄによって蒸気発生本体２３を開始した時や途中で水を足した時に液晶パネル１３ｂで表示する場合も同様にして行え、また、前記待ち時間は蒸気発生本体２３の表示器２３ｂで表示することも可能である。
【００４０】
【発明の効果】
本発明は前記したように、タンク内の湯量によって単位時間当たりの湯温上昇率を測定しておき、蒸気発生指令が行われた時点における蒸気発生装置のタンク内湯温を検出し、現在のタンク内湯温が前記湯温上昇率からして沸騰するまでの時間を演算し、該演算した時間を表示手段において表示するようにしたので、施術者は施術までの間に他の施術を施したりして時間のロスをなくすことができ、また、被施術者にとっては蒸気による施術が何時行われるかの判断が行えるものである。
【００４１】
また、被施術者の肌診断を行った結果を表示すると共に後述する蒸気発生装置等のエステ機器を制御するための操作パネルを有する制御装置と、被施術者が施術を受けるための施術台と、該施術台の近傍に配置され前記制御装置によって設定された時間、温度等のデータに基づいて制御されるエステ機器とから構成したので、蒸気発生装置等のエステ機器毎に施術時間や施術温度を設定するための装置を組み込む必要がなくなってエステ機器のコストダウンが図れ、また、１つの制御装置によって複数台のエステ機器を遠隔的に同時に制御可能としたことによって、さらなるコストダウンを図ることができるものである。
【００４２】
また、前記制御装置は肌診断器よりの水分量、油量、弾性等のデータを取り込み、予め制御装置内に記憶されているデータとを比較演算して前記肌データに基づく最適な蒸気発生装置で施術する時間や温度のデータが蒸気発生装置に送られて、該蒸気発生装置が始動を開始すると共に施術までの時間が表示されるので、施術者にとって蒸気発生装置の使い勝手が非常に良いものとなる。
【００４３】
さらに、エステ機器において蒸気発生装置が蒸気発生までの時間を演算し、かつ、表示手段で表示するので、複数の蒸気発生装置が有る場合でも、該蒸気発生装置はタンク内の温度や湯量を送信するのみでよいことから、蒸気発生装置のコスト低減を図ることができる等の効果を有するものである。
【図面の簡単な説明】
【図１】本発明のエステ装置における制御装置の斜視図である。
【図２】蒸気発生装置の第１の実施の形態の斜視図である。
【図３】他の実施の形態の蒸気発生装置の斜視図である。
【図４】全体の回路構成を示すブロック図である。
【図５】使用状態を示す平面図である。
【図６】エステ機器と蒸気発生装置内の回路ブロック図である。
【図７】他の実施の形態の蒸気発生装置の斜視図である。
【図８】蒸気発生時間を演算するためのフローチャートである。
【符号の説明】
１３　　　　ディスプレー
１３ａ　　　操作キー
１３ｂ　　　液晶パネル
１３ｄ　　　処理回路
１６　　　　肌センサー
２３ｆ　　　ヒーター
２３ｇ　　　フロートスイッチ
２３ｈ　　　サーミスタ
【図１】
2004121663.tif 000003
【図２】
2004121663.tif 000004
【図３】
2004121663.tif 000005
【図４】
2004121663.tif 000006
【図５】
2004121663.tif 000007
【図６】
2004121663.tif 000008
【図７】
2004121663.tif 000009
【図８】
2004121663.tif 000010